(57)【要約】  スタイラスなどのタッチベース入力デバイスは、ユーザから触知入力を受信することができる。触知入力機能は、静電容量式感知デバイスなどのタッチセンサによって実行することができる。タッチセンサは、低プロファイル形態のスタイラスに統合することができる。ホストデバイスとの無線充電及び磁気結合もまた容易になる。スタイラスは、スタイラスを用いたユーザエクスペリエンスを改善するスモールフォームファクタで、上記の特徴部を提供することができる。【選択図】図２
2021532489.tif 000002
【特許請求の範囲】
【請求項１】
非導電性材料を含む筐体と、
前記筐体内にあり、金属材料を含み、かつ充電窓を有する、フレームアセンブリと、
前記充電窓内にあり、前記筐体に隣接している、無線電力受信器と、
を備える、スタイラス。
【請求項２】
前記フレームアセンブリが、第１のフレーム及び第２のフレームを含み、前記第１のフレーム及び前記第２のフレームが、前記充電窓を画定するように一緒に接合されている、請求項１に記載のスタイラス。
【請求項３】
前記第２のフレーム内にあり、前記無線電力受信器に動作可能に接続されている、バッテリパックと、
前記第１のフレーム内にある処理ユニット回路基板セットと、
を更に備える、請求項２に記載のスタイラス。
【請求項４】
アンテナアセンブリを更に備え、前記アンテナアセンブリが、
前記第２のフレームの外側に延在するアンテナと、
前記処理ユニット回路基板セットに接続されたコネクタと、
前記アンテナを前記コネクタに接続し、かつ前記第２のフレームと前記バッテリパックとの間に延在する伝送線路と、
を含む、請求項３に記載のスタイラス。
【請求項５】
前記スタイラスが、
前記第１のフレームの第１の窓内にある第１のスタイラス磁石と、
前記第２のフレームの第２の窓内にある第２のスタイラス磁石と、を備え、
前記第１のスタイラス磁石及び前記第２のスタイラス磁石がホストデバイスのホスト磁石と整列されると、前記無線電力受信器が前記ホストデバイスの無線電力送信器と整列される、
請求項２に記載のスタイラス。
【請求項６】
前記筐体が、前記スタイラスの長さに沿って延在する実質的に平坦な外部表面を形成する長手方向部分を有する、請求項１に記載のスタイラス。
【請求項７】
前記スタイラスの長さに沿って延在する実質的に平坦な外部表面を形成する長手方向部分を有する筐体と、
前記筐体内にあり、前記長手方向部分に隣接している、無線電力受信器と、
ホストデバイスの対応するホスト磁石に磁気的に結合するための複数のスタイラス磁石であって、前記スタイラス磁石が前記筐体内にあり、前記長手方向部分に隣接している、複数のスタイラス磁石と、を備え、前記スタイラス磁石が前記ホスト磁石と整列されると、前記無線電力受信器が前記ホストデバイスの無線電力送信器と整列される、
スタイラス。
【請求項８】
前記筐体が、前記スタイラスのグリップ領域を画定し、前記スタイラスが、
前記グリップ領域において前記筐体の内側表面に沿って円周方向及び長手方向に分布した複数の感知素子を含む静電容量式タッチセンサ、を更に備え、前記静電容量式タッチセンサが、前記スタイラス磁石うちの１つと前記筐体との間に半径方向に配置されている、
請求項７に記載のスタイラス。
【請求項９】
第１のフレーム及び第２のフレームを含む、フレームアセンブリを更に備え、前記第１のフレーム及び前記第２のフレームが、一緒に接合されて充電窓を画定し、かつ前記充電窓内で前記無線電力受信器を支持する、請求項７に記載のスタイラス。
【請求項１０】
前記複数のスタイラス磁石が、前記第１のフレーム内にある第１の磁石と、前記第２のフレーム内にある第２の磁石と、を含む、請求項９に記載のスタイラス。
【請求項１１】
処理ユニット回路基板セットと、
前記筐体に対して移動可能な先端と、
前記先端に力が加えられたときを、前記処理ユニット回路基板セットに示すように構成された力センサと、
を更に備える、請求項９に記載のスタイラス。
【請求項１２】
外側表面を有し、前記外側表面を越えて突出する構成要素を支持するフレームアセンブリと、
前記フレームアセンブリの周りに配置され、その凹部内に前記構成要素の一部分を受容する弾性インサートと、
前記弾性インサートの周りに配置された可撓性タッチセンサと、
前記可撓性タッチセンサの周りに配置された筐体と、
を備える、スタイラス。
【請求項１３】
前記フレームアセンブリ内にある処理ユニット回路基板セット、前記弾性インサート、前記タッチセンサ、及び前記筐体と、
前記筐体に対して移動可能な先端と、
前記先端に力が加えられたときを、前記処理ユニット回路基板セットに示すように構成された力センサと、
を更に備える、請求項１２に記載のスタイラス。
【請求項１４】
前記タッチセンサが、前記筐体内に円周方向及び長手方向に分布した複数の感知素子を含み、前記感知素子のそれぞれが、ユーザが前記筐体の対応する部分に接触しているときを前記処理ユニット回路基板セットに示すように構成されている、請求項１３に記載のスタイラス。
【請求項１５】
前記構成要素が、前記フレームアセンブリ内の開口部を覆う蓋である、請求項１２に記載のスタイラス。
【請求項１６】
前記構成要素が、前記フレームアセンブリの窓内にある磁石である、請求項１２に記載のスタイラス。
【請求項１７】
前記弾性インサートが、前記フレームアセンブリと前記可撓性タッチセンサとの間に半径方向に配置され、前記可撓性タッチセンサを前記筐体に対して半径方向に外側に付勢する、請求項１２に記載のスタイラス。
【請求項１８】
前記筐体が、前記筐体の長手方向の長さに沿って延在する湾曲部分及び平坦部分をそれぞれ有する内側表面及び外側表面を含む、請求項１２に記載のスタイラス。
【請求項１９】
前記弾性インサートが発泡体を含む、請求項１２に記載のスタイラス。
【請求項２０】
前記弾性インサートが、前記タッチセンサを前記フレームアセンブリに接着する感圧接着剤を含む、請求項１２に記載のスタイラス。
【発明の詳細な説明】
【技術分野】
【０００１】
関連出願の相互参照
この出願は、２０１８年９月１８日に出願された、「ＳＴＹＬＵＳ  ＦＯＲ  ＥＬＥＣＴＲＯＮＩＣ  ＤＥＶＩＣＥＳ」と題する米国特許仮出願第６２／７３３，０２０号の利益を主張するものであり、同出願の全体が参照により本明細書に援用される。
【０００２】
本明細書は、概して、入力デバイスに関し、より具体的には、電子デバイスのタッチスクリーンと共に使用するためのスタイラスに関する。
【背景技術】
【０００３】
使用中にユーザからの入力を検出するための様々なハンドヘルド入力デバイスが存在する。例えば、スタイラスを利用して、電子デバイスのタッチパネルに接触することによって入力を提供することができる。タッチパネルは、タッチイベントを検出したことに応じて電子デバイスの他の構成要素によって処理及び利用できる信号を生成するタッチ感知面を含み得る。電子デバイスの表示構成要素は、選択可能な仮想ボタン若しくはアイコンを表すテキスト及び／又はグラフィック表示要素を表示することができ、タッチ感知面は、表示画面上に表示されたコンテンツをユーザがナビゲートすることを可能にし得る。典型的に、ユーザは、デバイスが入力コマンドに変換するパターンでタッチパネルにわたって、スタイラスなどの１つ以上の入力デバイスを移動させることができる。
【図面の簡単な説明】
【０００４】
主題の技術の一定の特徴を、添付の特許請求の範囲に示す。しかしながら、説明の目的のため、主題の技術のいくつかの実施形態を、以下の図に示す。
【図１】主題技術のいくつかの実施形態に係る、スタイラス及びホストデバイスを含むシステムの図を示す。
【図２】主題技術のいくつかの実施形態に係る、図１のスタイラス及びホストデバイスを表すブロック図を示す。
【図３】スタイラスの様々な構成要素及びサブシステムの分解図を示す。
【図４】図３のスタイラスの様々な構成要素及びサブシステムの分解図を示す。
【図５】図３のスタイラスの後部の様々な構成要素及びサブシステムの分解図を示す。
【図６】図３のスタイラスの前部の様々な構成要素及びサブシステムの分解図を示す。
【図７】図３のスタイラスの調整エンジンアセンブリの様々な構成要素及びサブシステムの分解図を示す。
【図８】図７のスタイラスの調整エンジンアセンブリの端部の拡大図を示す。
【図９】主題技術のいくつかの実施形態に係る、スタイラスの斜視図を示す。
【図１０】主題技術のいくつかの実施形態に係る、図９のスタイラスの断面Ａ−Ａの側面断面図を示す。
【図１１】主題技術のいくつかの実施形態に係る、図９のスタイラスの断面Ｂ−Ｂの正面断面図を示す。
【図１２】主題技術のいくつかの実施形態に係る、タッチセンサの上面図を示す。
【図１３】主題技術のいくつかの実施形態に係る、スタイラスの側面図を示す。
【図１４】主題技術のいくつかの実施形態に係る、スタイラスの側面図を示す。
【図１５】主題技術のいくつかの実施形態に係る、スタイラスの側面図を示す。
【図１６】主題技術のいくつかの実施形態に係る、弾性インサートの上面図を示す。
【図１７】主題技術のいくつかの実施形態に係る、図１６の弾性インサートの断面Ｅ−Ｅの側面断面図を示す。
【図１８】主題技術のいくつかの実施形態に係る、図９のスタイラスの断面Ｃ−Ｃの側面断面図を示す。
【図１９】主題技術のいくつかの実施形態に係る、図９のスタイラスの断面Ｄ−Ｄの正面断面図を示す。
【図２０】主題技術のいくつかの実施形態に係る、スタイラス及びホストデバイスの斜視図を示す。
【図２１】主題技術のいくつかの実施形態に係る、スタイラス及びホストデバイスの正面図を示す。
【発明を実施するための形態】
【０００５】
以下に述べる詳細な説明は、主題の技術の様々な構成の説明として意図されており、主題の技術を実施できる唯一の構成を表すことを意図するものではない。添付の図面は、本明細書に組み込まれ、詳細な説明の一部を構成する。詳細な説明は、主題の技術の完全な理解を提供するために特定の詳細を含む。しかし、主題の技術は、本明細書において説明されている特定の詳細に限定されず、これらの特定の詳細なしに実施され得ることが当業者には明確であり、明らかであろう。一部の例では、主題の技術の概念を不明瞭にすることを避けるために、周知の構造体及び構成要素がブロック図の形式で示されている。
【０００６】
表示面及び／又はタッチパネルを含むいくつかの電子デバイスは、ユーザからの触知入力を受信する。例えば、スタイラスを利用して、電子デバイスのタッチパネルに接触させることによって入力を提供することができる。タッチパネルは、タッチイベントを検出したことに応じて電子デバイスの他の構成要素によって処理及び利用できる信号を生成するタッチ感知面を含んでもよい。電子デバイスの表示構成要素は、選択可能な仮想ボタン若しくはアイコンを表すテキスト及び／又はグラフィック表示要素を表示することができ、タッチ感知面は、表示画面上に表示されたコンテンツをユーザがナビゲートすることを可能にし得る。典型的に、ユーザは、デバイスが入力コマンドに変換するパターンでタッチパネルにわたって、スタイラスなどの１つ以上の入力デバイスを移動させることができる。
【０００７】
更に、ユーザがスタイラス又は他のタッチベース入力デバイスを保持している間、ユーザは、それによって提供される入力オプションに制限され得る。したがって、入力デバイスに統合される追加の入力能力により、追加の入力デバイスを同時に動作させる必要なく、拡張された入力能力をユーザに提供する。
【０００８】
本明細書に開示される実施形態によれば、スタイラスの構成要素及びそのアセンブリは、静電容量式タッチ入力、ホストデバイスとの磁気結合、及びホストデバイスからの無線充電を容易にする方法で提供することができる。
【０００９】
本明細書に開示される実施形態によれば、スタイラスは、ユーザからの触知入力を受信することができる。触知入力機能は、静電容量式感知デバイスなどのタッチセンサによって実行することができる。タッチセンサは、スタイラスの構成要素の組み立て及び固定を容易にする低プロファイル形態の入力デバイスに統合することができる。
【００１０】
本明細書に開示される実施形態によれば、スタイラスは、無線充電及び磁気結合などのホストデバイスとの相互作用を実行することができる。ホストデバイスに無線充電及び磁気結合を提供することにより、スタイラスは、ホストデバイス又は別の充電ユニットへの機械的結合を必要とすることなく動作させることができる。したがって、スタイラスの構成要素は、機械的接続（例えばプラグ）を必要とする充電システムで必要とされ得る過剰な機械的応力にさらされない。
【００１１】
本明細書に開示される実施形態によれば、スタイラスは、スタイラスを用いたユーザエクスペリエンスを改善するスモールフォームファクタで、上記の特徴を提供することができる。スタイラスの構成要素は、構成要素を安全な配置に維持しながら、上記機能の性能を提供する方法で組み立てられる。例えば、タッチセンサは、筐体内にフィットする他の構成要素も存在するにもかかわらず、筐体内に正確にフィットして正確なタッチ検出を提供する。
【００１２】
これら及び他の実施形態について、図１〜図２０を参照して以下で論じる。しかしながら、当業者であれば、これらの図に関して本明細書に与えられた発明を実施するための形態は説明の目的のためのものに過ぎず、限定するものとして解釈されるべきではないことを容易に理解するであろう。
【００１３】
本明細書に開示される実施形態に係るタッチベース入力デバイスは、フィードバックを入力及び／若しくは受信するためにユーザによって保持、装着、又は接触される任意のデバイスを含むことができる。タッチベース入力デバイスは、単独で、又は別のデバイスと併せて使用することができる。例えば、図１は、主題技術のいくつかの実施形態に係る、スタイラス１００、及び表面５０を有するホストデバイス９０を含むシステム１を示す。スタイラス１００は、ユーザ１０によって保持され、ホストデバイス９０と共に使用するためのタッチベース入力デバイスとして動作することができる。
【００１４】
ホストデバイス９０の表面５０は、それに接触したときにスタイラス１００と相互作用するための表示面及び／又はタッチパネルを含むことができる。ホストデバイス９０は、ディスプレイを利用して、画像をレンダリングしてユーザに情報を伝達する。ディスプレイは、テキスト、色、線描、写真、アニメーション、ビデオなどを表示するように構成することができる。ホストデバイス９０の表面５０は、液晶ディスプレイ技術、発光ダイオード技術、有機発光ディスプレイ技術、有機電界発光技術、電子インク、若しくは他のタイプのディスプレイ技術、又はディスプレイ技術タイプの組み合わせを使用する、マルチタッチ及び／又はマルチ感圧タッチスクリーンを含むがこれらに限定されない、任意の好適な技術を用いて実装することができる。
【００１５】
スタイラス１００は、表面５０に接触するための先端１９０を含むことができる。そのような接触は、ホストデバイス９０及び／又はスタイラス１００によって検出することができる。例えば、スタイラス１００は、先端１９０が接触して表面５０に加えられた圧力を検出する１つ以上のセンサを含むことができる。そのようなセンサには、１つ以上の接触センサ、容量式センサ、タッチセンサ、カメラ、圧電センサ、圧力センサ、近接センサ、電界センサ、フォトダイオード、及び／又は表面５０との接触を検出するように動作可能な他のセンサを含み得る。そのようなセンサは、任意選択的に、ホストデバイス９０と協働して動作して、表面５０との接触を検出することができる。
【００１６】
図２に示すように、スタイラス１００は、ユーザによる取り扱い及び動作をサポートする構成要素を含むことができる。入力は、スタイラス１００の１つ以上の構成要素において、ユーザによって提供することができる。
【００１７】
力センサ１９２は、スタイラス１００の先端１９０におけるユーザ入力を検出するように動作することができる。力センサ１９２は、先端１９０及び筐体１１０の両方と相互作用して、先端１９０及び筐体１１０の相対動作を検出することができる。例えば、力センサ１９２は、先端１９０がホストデバイス９０の表面などの表面に接触しているときを検出するように動作させることができる。検出は、筐体１１０に対する先端１９０の移動に基づくことができる。したがって、力センサ１９２は、先端１９０及び筐体１１０の両方に直接的又は間接的に接続されて、それらの間の相対動作を検出することができる。力センサ１９２は、先端１９０の機械的動作を電気信号に変換する構成要素を含むことができる。力センサ１９２には、１つ以上の接触センサ、容量式センサ、タッチセンサ、歪みゲージ、カメラ、圧電センサ、圧力センサ、フォトダイオード、及び／又は他のセンサを含むことができる。力センサ１９２は、力の存在及び大きさの両方を検出することができる。
【００１８】
使用時に、ユーザは、スタイラス１００を操作し、ホストデバイス９０の表面に力を加えることができる。対応する反作用力は、電気機械結合に接続されたスタイラス１００の先端１９０を介して、スタイラス１００の力センサ１９２に伝達されてもよい。力センサ１９２又はその一部分は、測定されて、加えられた力を推定するために使用され得ることに応じて変形し得る。力センサ１９２は、加えられた力に対応する非バイナリ出力を生成するために使用することができる。例えば、力センサ１９２を使用して、加えられた力の可変量に従って変化する大きさを表す出力を生成することができる。
【００１９】
タッチセンサ２００は、スタイラス１００の筐体１１０のグリップ領域上でのユーザによる接触を検出するために提供され得る。タッチセンサ２００には、自己静電容量式センサなどの静電容量式タッチセンサを含むことができる。本明細書で更に説明するように、タッチセンサ２００は、複数の位置での接触及び接触の変化を検出するために、導電性電極などの複数の感知素子を含むことができる。
【００２０】
図２に更に示すように、スタイラス１００は、コントローラ１６０及び非一時的記憶媒体１６２を含むことができる。非一時的記憶媒体１６２には、例えば、磁気記憶媒体、光学記憶媒体、光磁気記憶媒体、読み出し専用メモリ、ランダムアクセスメモリ、消去可能プログラマブルメモリ、フラッシュメモリ、又はこれらの組み合わせを含むことができる。いくつかの実施形態によれば、コントローラ１６０は、１つ以上の機能を実行するために、非一時的記憶媒体１６２に記憶された１つ以上の命令を実行することができる。
【００２１】
図２に更に示すように、スタイラス１００は、１つ以上のバッテリ及び／又は電力管理ユニットなどの電源１６４を含むことができる。スタイラス１００は、電力モジュール１６６などの、電源１６４を充電するための構成要素を含むことができる。電力モジュール１６６は、例えばホストデバイス９０から、無線で（例えば、誘導的に）電力を受信及び／又は送信するための１つ以上の構成要素を含むことができる。
【００２２】
スタイラス１００は、ホストデバイス９０及び／又は別のデバイスと通信するための通信構成要素（図示せず）を含むことができる。通信構成要素には、１つ以上の有線若しくは無線構成要素、ＷｉＦｉ構成要素、近距離通信構成要素、Ｂｌｕｅｔｏｏｔｈ構成要素、及び／又は他の通信構成要素を含むことができる。通信構成要素は、１つ以上のアンテナなどの１つ以上の送信要素を含むことができる。代替的に又は組み合わせて、通信構成要素は、ホストデバイス９０及び／又は別のデバイスへの有線接続のためのインタフェースを含むことができる。
【００２３】
スタイラス１００は、ディスプレイ、センサ、スイッチ（例えば、ドームスイッチ）、ボタン、ボイスコイル、及び／又は他の構成要素を含むがこれらに限定されない、他の構成要素を含むことができる。スタイラス１００は、周囲光センサ、近接センサ、温度センサ、気圧センサ、湿度センサなどの環境センサを用いて、スタイラス１００の動作環境の環境条件及び／又は他の態様を検出することができる。スタイラス１００は、ユーザへの触知感覚を伴う触覚フィードバックを提供する触覚フィードバック構成要素を含むことができる。触覚フィードバック構成要素は、力フィードバック、振動フィードバック、触知感覚などを提供するように構成された任意の好適なデバイスとして実装することができる。例えば、一実施形態では、触覚フィードバック構成要素は、タップ又はノックなどの断続した触覚フィードバックを提供するように構成されたリニアアクチュエータとして実装することができる。スタイラス１００は、スタイラス１００の移動及び加速度を検出するための、加速度計、ジャイロスコープ、全地球測位センサ、傾斜センサなどの動きセンサを用いて、スタイラス１００の動き特性を検出することができる。スタイラス１００は、皮膚温度、心拍数、呼吸速度、血液酸素化レベル、血液体積推定値、血圧、又はこれらの組み合わせを検出するバイオセンサを用いて、スタイラスを操作するユーザの生物学的特性を検出することができる。スタイラス１００は、磁界センサ、電界センサ、色メータ、音響インピーダンスセンサ、ｐＨレベルセンサ、材料検出センサなどのユーティリティセンサを用いて、スタイラス１００の近く又はそうでなければ外部のオブジェクトの特性を定量化又は推定することができる。そのようなデータは、スタイラス１００の動作を調整若しくは更新するために使用されてもよく、及び／又はそのようなデータをホストデバイス９０に通信してその動作を調整若しくは更新してもよい。
【００２４】
ホストデバイス９０はまた、スタイラス１００の動作を容易にする構成要素を含むことができる。例えば、ホストデバイス９０には、１つ以上のプロセッサ、メモリ、電源、１つ以上のセンサ、１つ以上の通信インタフェース、１つ以上のデータコネクタ、１つ以上の電源コネクタ、例えばスピーカ、回転入力装置、マイクロフォン、オン／オフボタン、ミュートボタン、生体センサ、カメラ、力感知式及び／又はタッチ感知式トラックパッドなどの１つ以上の入出力装置デバイス、を含み得る。いくつかの実施形態では、ホストデバイス９０の通信インタフェースは、ホストデバイス９０とスタイラス１００との間の電子通信を容易にする。
【００２５】
本明細書に記載される多くの実施形態に関して述べたように、入力能力及び無線充電を提供するように構成されたスタイラスは、これらの機能をコンパクトな形態で容易にする方法で構築されてもよい。一般的かつ広義には、本明細書に記載される実施形態は、スタイラスの外側表面上のタッチ感知能力、ホストデバイスに結合するための磁気構成要素、及びホストデバイスから電力を受信するための無線充電構成要素を提供する。１つのそのような例示的なスタイラスを、図３〜図７を参照して以下に記載する。しかしながら、ここで示されかつ以下に記載される一般化されたレイアウトは、単なる一例に過ぎず、他の実施形態を異なる方法で実装できることを理解されたい。
【００２６】
図３〜図７は、スタイラス１００の様々な構成要素を分解図で示している。スタイラス１００の様々な構成要素の相互運用及び組み立ての理解を容易にするために、図３〜図７が提供され、スタイラス１００の分解図（例えば、図３）、スタイラス１００の前部及び後部の内部構成要素の分解図（例えば、図４）、スタイラス１００の後部構成要素の分解図（例えば、図５）、スタイラス１００の前部構成要素の分解図（例えば、図６）、及びスタイラス１００の調整エンジンアセンブリの分解図（例えば、図７）が示されている。
【００２７】
図３を参照すると、図示された実施形態のスタイラス１００は、筐体１１０を含む。筐体１１０は、中空である。筐体１１０は、ユーザによる便利で親しみ易い快適な操作、又はスタイラス１００を容易にするための様々な形態をとってもよい。図示の例では、筐体１１０は、ペン又は鉛筆などの筆記用具の一般的な形態を有する。筐体１１０は、概ね円筒形であり、平坦部分１１４は、その側面上に外側表面を提供する。筐体１１０は、プラスチック、金属、セラミック、ラミネート、ガラス、サファイア、木材、革、合成材料、若しくは任意の他の材料、又は材料の組み合わせによって形成することができる。
【００２８】
筐体１１０は、筐体１１０の端部で、キャップ１９８に接続又は接合するように構成することができる。キャップ１９８は、スタイラス１００の筐体１１０に装飾端部を提供するように構成されてもよい。キャップ１９８は、筐体１１０に取り付けられたときに筐体１１０と実質的に連続的な外側表面を形成する。キャップ１９８は、金属、プラスチック、ガラス、セラミック、サファイアなど、又はこれらの組み合わせであるがこれらに限定されない、任意の好適な材料から形成されてもよい。多くの場合では、キャップ１９８は、筐体１１０と同じ材料から形成されるが、これは必須ではない。いくつかの実施形態では、キャップ１９８は、全体的に又は部分的に、多色発光ダイオードなどの、赤外線信号又は別の光信号を拡散する信号拡散器として構成されてもよい。他の場合では、キャップ１９８は、全体的に又は部分的に、無線通信及び／又は電界が通過可能なアンテナ窓として構成されてもよい。図示のとおり、キャップ１９８は、丸みのある端部で終端するが、これは全ての実施形態において必須ではない。いくつかの実施形態では、キャップ１９８は、平面として終端する。他の実施形態では、キャップ１９８は、任意の形状で終端する。
【００２９】
図示された実施形態では、筐体１１０は、その一端でテーパ状になっている。筐体１１０のテーパ状端部は、図ではテーパ状先端１１０ａとして識別されている。図示のとおり、テーパ状端部１１０ａは、筐体１１０と一体的に形成されてもよい。他の実施形態では、テーパ状端部１１０ａは、筐体１１０から分離した部品である。先端１９０は、テーパ状端部１１０ａ内に部分的に配置されている。先端１９０の他の部分は、テーパ状端部１１０ａの端部にその外側から、恒久的に又は取り外し可能のいずれかで取り付けられている。先端１９０は、円錐形状を概ねとるが、そのような形状は、全ての実施形態において必須ではない。先端１９０は、筐体１１０内に配置された（以下で詳細に説明する）調整エンジンアセンブリの一部に取り外し可能に又は恒久的に係合するように構成されてもよい。先端１９０は、電子デバイスの入力面に接触するように構成されてもよい。先端１９０は、ペンと同様に、先端に向かってテーパ状になっていてもよく、それによってユーザは、親しみのあるフォームファクタでスタイラス１００を精度良く制御することができる。いくつかの例では、先端１９０は、尖形状とは対照的に、平滑であるか若しくは丸みがあってもよく、又は回転可能な若しくは固定されたボールの形状をとってもよい。
【００３０】
図３に示すように、組み立て中に筐体１１０に挿入するための内部アセンブリ４００を提供することができる。内部アセンブリ４００は、その構成要素を筐体１１０内に少なくとも部分的に挿入する前、間、又は後に、一緒に組み立てることができる。挿入は、その後キャップ１９８で覆われる筐体の端部を通じて提供され得る。先端１９０は、内部アセンブリ４００が筐体１１０内に挿入及び／又は固定された後に、筐体１１０のテーパ状端部１１０ａを通じて内部アセンブリに接続することができる。内部アセンブリ４００は、本明細書で更に論じるように、前部アセンブリの前部フレーム及び後部アセンブリの後部フレームを更に含む支持部材４０２を含むことができる。
【００３１】
ここで図４を参照すると、内部アセンブリ４００は、スタイラスの内部構成要素及び機能構成要素を提供するために、機械的に及び／又は動作可能に一緒に接続された、前部アセンブリ４１０及び後部アセンブリ４６０を含むことができる。無線電力受信器４５０は、本明細書で更に論じるように、前部アセンブリ４１０と後部アセンブリ４６０との間に設けられた窓４１６内に、又はそれに隣接して少なくとも部分的に提供され得る。窓４１６内に無線電力受信器４５０を設けることにより、無線電力受信器４５０への無線信号の干渉及び／又は遮断を回避することができる。
【００３２】
スタイラス１００は、少なくとも前部アセンブリ４１０の周りに巻き付けられるタッチセンサ２００を含み得る。タッチセンサ２００は、組み立て時に、スタイラス１００の長さの少なくとも一部分に沿って延在する静電容量式タッチセンサであり得る。タッチセンサ２００は、スタイラス１００のグリップ領域内に少なくとも部分的に延在することができる。追加的に又は代替的に、タッチセンサ２００は、スタイラス１００の先端１９０まで及び／又は先端１９０内に少なくとも部分的に延在することができる。追加的に又は代替的に、タッチセンサ２００は、先端１９０と反対側のスタイラス１００の端部まで延在することができる。タッチセンサ２００は、ユーザの指との接触又は近接を検出するために使用することができる。追加的に又は代替的に、タッチセンサ２００は、スタイラスが適用される表面などの別のオブジェクトとの接触又は近接を検出するために使用することができる。スタイラス１００は、複数のタッチセンサ２００を含むことができる。複数のタッチセンサ２００のそれぞれは、筐体１１０の異なる部分内に延在することができる。タッチセンサ２００は、互いに離間されていてもよい。タッチセンサ２００のうちの少なくとも１つは、グリップ領域に沿って延在することができる。別個のタッチセンサ２００によって検出されたジェスチャは、ユーザのジェスチャの検出時にスタイラス１００及び／又はホストデバイスによって実行される予めプログラムされた機能に従って、異なるユーザ入力として解釈することができる。タッチセンサ２００は、先端１９０の反対側にあるスタイラス１００の端部に配置されてもよく、及び／又はそこまで延在してもよい。
【００３３】
図４に示すように、１つ以上の蓋４９０は、本明細書で更に論じるように、前部アセンブリ４１０及び／又は後部アセンブリ４６０の周辺部を通じて開口部を提供する対応する窓を覆うように含まれ得る。
【００３４】
ここで図５及び図６を参照すると、フレームアセンブリは、様々な構成要素を収容及び／又は支持し、スタイラスとホストデバイスとの間の無線通信及び／又は充電を提供するために一緒に接合されている、前部フレーム４２０及び後部フレーム４７０を含むことができる。前部フレーム４２０及び／又は後部フレーム４７０は、筐体１１０の内部容積内にスライドするように構成され、スタイラス１００の様々な内部構成要素に対して構造的支持取り付け特徴部を提供することができる。前部フレーム４２０及び／又は後部フレーム４７０は、筐体１１０の形状に対応する形状を有する。この場合では、前部フレーム４２０及び／又は後部フレーム４７０は、実質的に円筒形状をとることができる。いくつかの例では、前部フレーム４２０及び／又は後部フレーム４７０は、その外側表面上に配置された１つ以上の電気的絶縁層を含むことができる。電気的絶縁層により、前部フレーム４２０及び／又は後部フレーム４７０がスタイラス１００内の１つ以上の回路の動作と干渉することを防止することができる。他の例では、前部フレーム４２０及び／又は後部フレーム４７０は、１つ以上の回路に電気的に接続することができる。多くの例では、前部フレーム４２０及び／又は後部フレーム４７０は、システム接地として機能することができ、スタイラス１００内に配置された全ての（又は実質的に全ての）電気回路に電気的接地を提供する。他の場合では、前部フレーム４２０及び／又は後部フレーム４７０はまた、１つ以上のアンテナ素子に対する接地面として機能することができる。
【００３５】
前部フレーム４２０及び／又は後部フレーム４７０はまた、１つ以上のアクセス又はアセンブリ窓を含んでもよい。アセンブリ窓は、スタイラス１００の製造の簡略化を容易にするように含まれ得る。例えば、両方の構成要素がすでに前部フレーム４２０及び／又は後部フレーム４７０の内部に配置されているときに、ホットバー操作が望まれる、又は１つの構成要素を別の構成要素に電気的に結合するのが好ましい場所に隣接する前部フレーム４２０及び／又は後部フレーム４７０内に、アセンブリ窓を画定することができる。他の例では、アセンブリ窓を、２つの別個の回路間の接続がコネクタを介して行われている位置に隣接して画定することができる。いくつかの場合では、アセンブリ窓は必須でなくてもよい。
【００３６】
いくつかの例では、アセンブリ窓は、アセンブリ窓を必要とする製造作業が終了すると覆われてもよい。いくつかの場合では、アセンブリ窓は、導電性テープによって覆われ得る。別の場合では、アセンブリ窓は、アセンブリ窓の上にプレートを溶接することによって覆われ得る。理解されるように、特定の実施形態においてアセンブリ窓の上に配置されたカバーは、フレームアセンブリ内に配置された電子素子に電磁シールドを提供するために導電性であってもよい。
【００３７】
ここで図５を参照すると、後部アセンブリ４６０は、後部フレーム４７０、及びそれによって支持される構成要素を含むことができる。図５に示すように、後部フレーム４７０は、後部フレーム４７０を通じて延在する空隙又は開放空間として、充電窓４１６の少なくとも一部分を画定することができる。充電窓４１６の少なくとも一部分はまた、前部フレーム４２０によって画定され得る。同様に、後部フレーム４７０は、本明細書で更に論じるように、後部フレーム４７０を通じて延在する空隙又は開放空間として、かつ後部磁石４９８を受容するように、後部窓４９６を更に画定することができる。
【００３８】
図５に更に示すように、バッテリパック３８４は、後部フレーム４７０内に挿入するために提供され得る。バッテリパック３８４は、リチウムポリマーバッテリパック又はリチウムイオンバッテリを含み得る。しかしながら、他の実施形態では、アルカリバッテリ、ニッケルカドミウムバッテリ、ニッケル金属水素化物バッテリ又は任意の他の好適な充電可能若しくは単回使用バッテリを使用してもよい。バッテリパック３８４は、処理ユニット回路基板セット３５６に恒久的に又は取り外し可能に取り付けるように構成された１つ以上のリードを含むことができる（図６を参照）。バッテリパック３８４は、バッテリパック３８４の充電及び／又は放電速度を制御するように構成された回路を含む、電力制御基板３８８を含む。
【００３９】
図５に更に示すように、無線通信用のアンテナアセンブリ３２４を提供することができる。アンテナアセンブリ３２４は、アンテナ３２４ａ、アンテナ支持ブロック３２４ｂ、伝送線路３２４ｃ、及びコネクタ３２４ｄを含むことができる。アンテナ３２４ａは、アンテナ支持ブロック３２４ｂ上に配置されるか、又は別の方法で結合される。一部の実施形態では、アンテナ支持ブロック３２４ｂは、プラスチックなどの誘電材料から形成される。アンテナ支持ブロック３２４ｂは、内部容積を画定する。アンテナ支持ブロック３２４ｂの内部容積は、スタイラス１００の他の構成要素を保持するようにサイズ決め及び／又は他の方法で構成することができる。コネクタ３２４ｄは、処理ユニット回路基板セット３５６上のコネクタに直接、接続するように構成されてもよい（図６を参照）。多くの場合では、コネクタ３２４ｄ及び伝送線路３２４ｃは、シールドされていてもよく、それによって、これらを通過する信号は外部からの干渉による影響を受けず、また反対に、これらを通過する信号はスタイラス１００内のどの構成要素にも影響を及ぼさない。伝送線路３２４ｃは、アンテナアセンブリ３２４及びバッテリパック３８４が後部フレーム４７０内に組み立てられたときに、バッテリパック３８４と並んで又はこれに隣接して通るように構成されてもよい。伝送線路３２４ｃは、スタイラスの長手方向軸と平行になるように概ね整列される。上記したように、アンテナアセンブリ３２４は、アンテナ３２４ａが後部フレーム４７０の端部を越えて突出し、かつ後部フレーム４７０によって覆われないように、後部フレーム４７０内に部分的に挿入される。追加的に又は代替的に、アンテナ３２４ａは、後部フレーム４７０内の窓と整列させることができる。いくつかの場合では、伝送線路３２４ｃは、圧縮性要素３９６によって後部フレーム４７０の内側表面から離間することができる。圧縮性要素３９６は、圧縮性発泡体及び／又は１つ以上の結合要素（例えば、テープ）を含む。結合要素は、圧縮性要素３９６の圧縮性発泡体、及び伝送線路３２４ｃを、バッテリパック３８４に取り付けることができる。
【００４０】
ここで図６を参照すると、前部アセンブリ４１０は、前部フレーム４２０、及びそれによって支持される構成要素を含み得る。図６に示すように、前部フレーム４２０は、前部フレーム４２０を通じて延在する空隙又は開放空間として、充電窓４１６の少なくとも一部分を画定することができる。充電窓４１６の少なくとも一部分はまた、後部フレーム４７０によって画定され得る。同様に、前部フレーム４２０は、本明細書で更に論じるように、前部フレーム４２０を通じて延在する空隙又は開放空間として、かつ前部磁石４４８を受容するように、前部窓４４６を更に画定することができる。
【００４１】
前部アセンブリ４１０は、本明細書で更に論じるように、先端１９０における力ベース入力を検出するための調整エンジンアセンブリ３１０を含むことができる。調整エンジンアセンブリ３１０は、前部フレーム４２０内に挿入され得る。支持カラー３１６及びフランジ付きナット３１８は、前部フレーム４２０内で調整エンジンアセンブリ３１０を支持するために提供されている。フランジ付きナット３１８は、溶接、はんだ付け、又はその他の方法で前部フレーム４２０に恒久的に接着することができる。前部フレーム４２０は、筐体内に挿入するスリーブの形状をとることができる。前部フレーム４２０は、筐体の内部表面に対して固定され得る。支持カラー３１６は、フランジ付きナット３１８に接続することができる。いくつかの例では、支持カラー３１６は、筐体の内部表面内でリップ又はリングに当接する。
【００４２】
処理ユニット回路基板セット３５６は、例えば、前部フレーム４２０内に設けられ得る。処理ユニット回路基板セット３５６は、１つ以上の基板を含んでもよく、その上に又はそれを介して１つ以上の電子構成要素が配置される。これらの構成要素は、表面実装又は貫通孔構成要素であってもよい。構成要素は、基板の両側に取り付けられてもよい。基板は、単層回路基板、多層回路基板又は可撓性回路基板であり得る。一部の例では、１つ以上の補剛材で剛性にした可撓性回路基板を使用することができる。処理ユニット回路基板セット３５６は、スタイラスの他の構成要素に動作可能に接続することができ、バッテリパック３８４の電力制御基板３８８、アンテナアセンブリ３２４（例えば、コネクタ３２４ｄを介して）、及び無線電力受信器４５０を含む。
【００４３】
ここで図７を参照すると、調整エンジンアセンブリ３１０は、スタイラスの力及び向きを検出するための構成要素を含むことができる。調整エンジンアセンブリ３１０は、剛性信号導管３１０ａ及び力感知構造体３１０ｂを含む。
【００４４】
いくつかの例では、力感知構造体３１０ｂは、横方向ベッド部の各端部から延在する２つの片持ち梁状脚部を有する横方向ベッド部を含み得る。いくつかの実施形態では、力感知構造体３１０ｂはまた、印加された力の大きさの関数として変化する、電気的に測定可能な性質を呈する要素を含む。一例では、歪み感知電極３３８は、力感知構造体３１０ｂの一部に結合されてもよい。歪み感知電極３３８は、スタイラス１００内の電気回路に結合することができる。電気回路は、変化に関して、歪み感知電極３３８の１つ以上の電気的性質（例えば、抵抗、キャパシタンス、蓄積電荷、インダクタンスなど）を監視するように構成することができる。電気回路は、次いで、印加された力を推定するために使用され得るこれらの変化を定量化する。その後、スタイラス１００は、ユーザ入力として解釈され得る印加された力を、電子デバイスに伝達することができる。他の実施形態では、力感知構造体３１０ｂの偏向は、光学センサ、音響センサ、共鳴センサ、圧電抵抗センサなどが挙げられるがこれらに限定されない、別の方法で測定することができる。
【００４５】
剛性信号導管３１０ａは、管状シールド３４０を含む。管状シールド３４０は、中空部分及びトレイ部分を含む。管状シールド３４０は、中空部分を通過する電線導管（例えば、信号線、トレースなど）を電磁シールドしてもよい。管状シールド３４０はまた、剛性の構造的支持を提供して、加えられた反作用力を、実質的な偏向又は座屈を伴うことなく、力感知構造体３１０ｂに伝達するように構成されてもよい。管状シールド３４０のトレイ部分は、制御基板３４２を受容、支持、及び部分的に包囲するように構成されてもよい。
【００４６】
剛性信号導管３１０ａはまた、コアインサート３４６を含む。コアインサート３４６は、本体３５０及び可撓性回路３５２を含む。コアインサート３４６の本体３５０は、管状シールド３４０内に挿入されるように構成されてもよい。コアインサート３４６の可撓性回路３５２は、制御基板３４２に結合するように構成されてもよい。
【００４７】
スタイラスは、先端に実質的に球状の電界を生成することができ、それによって、先端付近の各静電容量感知ノードの相互キャパシタンスに影響を及ぼす。ホストデバイスは、これらの容量変化に対する各静電容量感知ノードを監視し、そのような変化が（存在する場合に）生じた位置を推定することによって、入力面上のスタイラスの位置を特定することができる。
【００４８】
コアインサートは、本体３５０の表面上に複数の導電性構成要素を含み得る。これらは、（電子デバイスの調整エンジンによって検出され得る）先端電界及びリング電界を発生させるための電界発生器として機能することができる。図８に示すように、一対の遠位発生器３５４ａ及び３５４ｂは、本体３５０の周囲の周りに部分的に延在することができる。遠位発生器３５４ａ及び３５４ｂは、それらが一緒になって円周の大部分の周りに延在するように、軸方向に整列され得る。遠位発生器３５４ａ及び３５４ｂは、本体３５０の中心軸と半径方向に対向し得る。
【００４９】
近位発生器３４８は、本体３５０の周りに延在するリング又は他の形状として提供され得る。近位発生器３４８は、遠位発生器３５４ａ及び３５４ｂと同軸上に整列され得る。したがって、それによって発生した磁界は、軸対称である。近位発生器３４８は、軸方向距離によって遠位発生器３５４ａ及び３５４ｂから分離される。
【００５０】
コアインサート３４６は、そこを通るいくつかの信号経路を画定する。一実施例では、コアインサート３４６は、第１の遠位発生器３５４ａ、第２の遠位発生器３５４ｂ、及び近位側発生器３４８に、並びに／又はそれらから、信号を伝達するようにそれぞれ構成された３つの別個の信号経路３６４ａ、３６４ｂ、及び３５８を画定する。
【００５１】
第１の遠位発生器３５４ａ、第２の遠位発生器３５４ｂ、及び近位発生器３４８は、任意の好適な方法で形成され得る。多くの場合、多くの例では（及び図示のように）、発生器は、コアインサート３４６の周りに（及び／又は部分的に内部に）ある。例えば、発生器は、コアインサート３４６の外側表面上に形成される。発生器は、物理蒸着、パルスレーザ堆積法、自己粘着性導電フィルム、金属リーフィング手法、金属メッキ手法などが挙げられるがこれらに限定されない、任意の数の好適な製造技術を使用して、コアインサート３４６の外部表面上に配置することができる。他の場合では、発生部は、コアインサート３４６内にインサート成形された中実の金属片であってもよい。
【００５２】
上記のように、第１の遠位発生器３５４ａ、第２の遠位発生器３５４ｂ、及び近位側発生器３４８はそれぞれ、特定の距離から推定されるときに、本質的にほぼ球状の電界を発生させるように構成されてもよい。換言すれば、発生器は、実質的に、磁界源として機能し得る。リング形状磁界源（近位発生器３４８）又は２つの円弧形状の磁場源（遠位発生器３５４ａ及び第２の遠位発生器３５４ｂ）によって発生する磁界は、発生器の半径よりも大きい距離から測定される場合、実質的に球形である。円弧形状の磁界源に関しては、それらが一緒になって、連続リングによって生成された磁界と同様の磁界を生成するように、同じ信号出力と協働して動作させることができる。円弧状磁界源から離間した特定の距離において、磁界は、連続リング又は点源によって生成され得るものと同じである。
【００５３】
第１の遠位発生器３５４ａ、第２の遠位発生器３５４ｂ、及び近位発生器３４８は、電界発生器として動作し得るが、スタイラスの組み立て中に入力モジュールとして動作することもできる。例えば、スタイラスは、別のデバイスと通信可能にドッキングするための特定の外部機構を欠いていてもよい。したがって、発生器は、スタイラスをプログラミング、診断、及び修理するための通信ポートとして使用することができる。発生器が３つの別個の接続を提供する場合、それぞれが、スタイラスの制御基板及び／又は処理ユニット回路基板セットとの別個の通信を提供することができる。例えば、発生器は、送信チャネル、受信チャネル、及び接地チャネルとして使用することができる。更なる例として、発生器は、アノード、カソード、及び接地電極として使用することができる。発生器のうちのいずれか１つ以上は、上記の任意の１つ以上として機能することができる。したがって、スタイラスは、少なくとも３つのポートとの電気通信を提供する物理的接続を介して、別のデバイスに通信可能に接続することができる。そのような接続は、組み立て後に隠され、スタイラスの部分的な分解によって任意選択的にアクセスすることができる。
【００５４】
ここで図９に示すように、スタイラス１００は、ユーザによる取り扱い及び操作をサポートすることができる。特に、スタイラス１００は、ユーザのグリップの位置でユーザからの入力を受信することができる。図９は、主題技術のいくつかの実施形態に係る、スタイラス１００を示している。いくつかの実施形態によれば、例えば図９に示すように、スタイラス１００は、スタイラス１００の長さの少なくとも一部分に沿って最も外側のカバーを提供する筐体１１０を含むことができる。ユーザは、スタイラス１００の使用中に、ユーザグリップ領域１０４でスタイラス１００をグリップすることができる。ユーザグリップ領域１０４は、スタイラス１００の通常の使用中に把持されるのと同じ位置でユーザが入力を提供できるように、自然なグリップ位置に配置することができる。例えば、ユーザグリップ領域１０４は、筐体１１０の外側表面に配置することができる。ユーザグリップ領域１０４は、スタイラス１００の先端１９０の近くにあってもよい。例えば、ユーザグリップ領域１０４の位置は、スタイラス１００の全長の半分、３分の１、又は４分の１未満の、先端１９０からの距離であってもよい。ユーザグリップ領域１０４において、スタイラス１００の構成要素は、ユーザから触知入力を受信するように配置することができる。例えば、ユーザグリップ領域１０４は、筐体１１０の一部分であり得る。代替的に又は組み合わせて、ユーザグリップ領域１０４は、ボタン、スイッチ、ノブ、レバー、及び／又は別の入力構成要素などの、筐体１１０内に設置された入力構成要素を含むことができる。いくつかの実施形態によれば、マーカは、ユーザグリップ領域１０４の位置のインジケータとして外側表面１１２上に提供され得る。マーカは、それを見ることができるが、筐体１１０の他の部分と同じ触知特徴を提供するように、外側表面の隣接する部分と同一平面にあり得る。代替的に又は組み合わせて、マーカは、筐体１１０の隣接部分とは異なる表面特徴を提供する突起、凹部、又は質感を提供することができる。
【００５５】
ここで図１０及び図１１を参照すると、スタイラス１００は、タッチセンサ２００を用いて、ユーザグリップ領域１０４におけるユーザから触知入力を受信することができる。図１０は、主題技術のいくつかの実施形態に係る、図９の線Ａ−Ａに沿って切り取られたスタイラス１００の側面断面図を示している。図１１は、主題技術のいくつかの実施形態に係る、図９の線Ｂ−Ｂに沿って切り取られたスタイラス１００の正面断面図を示している。図１０及び図１１に示すように、スタイラス１００は、筐体１１０内にある前部磁石４４８を含むことができる。前部磁石４４８は、前部フレーム４２０の前部窓４４６内に配置され得る。前部磁石４４８の少なくとも一部分は、本明細書で更に論じるように、弾性インサート１２２の領域１２６内に入れ子にすることができる。上述した後部磁石４９８に対して、同様の構成を設けることができる。タッチセンサ２００内の磁石の位置により、タッチセンサ２００の動作に干渉することなく、磁界を使用してスタイラスをホストデバイスに磁気的に結合することを可能にする。磁石の磁界が静的であり得るため、タッチセンサは、磁界の存在下で動作するように、アセンブリ後に較正することができる。
【００５６】
図１０に示すように、タッチセンサ２００は、グリップ領域１０４においてスタイラス１００の長手方向の長さに沿って分布した複数の感知素子２１０を含むことができる。例えば、図１０に示す感知素子２１０は、所与の列の各感知素子２１０が筐体１１０の異なる部分において外側に向くように、長手方向に分布している。タッチセンサ２００は、長手方向の長さに沿って、１、２、３、４、５、６、７、８、９、１０個の、又は１０個を超える感知素子２１０を含むことができる。感知素子２１０の分布により、グリップ領域１０４におけるスタイラス１００の長手方向の長さに沿った複数の位置で、独立した感知能力を提供する。
【００５７】
図１１に示すように、タッチセンサ２００は、スタイラス１００の支持部材４０２と筐体１１０との間に半径方向に配置され得る。加えて、弾性インサート１２２は、タッチセンサ２００と支持部材４０２との間に配置され得る。弾性インサート１２２が支持部材４０２とタッチセンサ２００との間に半径方向に配置されると、弾性インサート１２２は、タッチセンサ２００を筐体１１０に対して半径方向に外側に付勢することができる。
【００５８】
タッチセンサ２００は、円周方向に分布した複数の感知素子２１０を含み得る。例えば、図１１に示す感知素子２１０は、所与の行の各感知素子２１０が筐体１１０の異なる部分において半径方向に外側に向くように、円周方向に分布している。タッチセンサ２００は、円周の周りに、１、２、３、４、５、６、７、８、９、１０個の、又は１０個を超える感知素子２１０を含むことができる。感知素子２１０の分布により、グリップ領域１０４におけるスタイラス１００の円周の周りの複数の位置において、独立した感知能力を提供する。
【００５９】
筐体１１０は、様々な断面形状及びサイズのうちの１つを有することができる。図１１に示すように、筐体１１０は、湾曲部分１１２及び平坦部分１１４を含み得る。平坦部分１１４は、本明細書で更に論じるように、作業面、ホストデバイス、及び／又は充電ステーションなどの別の表面に対してスタイラス１００を安定させるために使用することができる。
【００６０】
図１１に示すように、筐体１１０は、内側表面及び／若しくは外側表面の一部又は全部に沿って湾曲し得る。筐体１１０は、内側表面及び／若しくは外側表面の一部又は全部に沿って平坦であり得る。タッチセンサ２００は、支持部材４０２及び／又は弾性インサート１２２の外側形状に概ね適合することができる。追加的に又は代替的に、タッチセンサ２００は、平坦及び／又は湾曲表面を含み得る筐体１１０の内側形状に概ね適合することができる。タッチセンサ２００が筐体１１０の内側表面に直接接触しない場合、タッチセンサ２００は、筐体１１０上の指の存在がタッチセンサ２００によって確実に検出可能となるように、筐体１１０に対して一定の距離を維持することができる。
【００６１】
図１１の筐体１１０は、非円形の（例えば、部分的に丸まった、及び部分的に平坦な）外側及び内側の断面形状を有するが、筐体１１０は、図１１の形状とは異なる外側及び／又は内側の断面形状を有し得ることが理解されるであろう。例えば、内側及び／又は外側の断面形状は、実質的に円筒形状を提供するために円形であり得る。
【００６２】
タッチセンサ２００は、可撓性かつ屈曲可能であるシート又は実質的に平坦な物品として最初に提供され得る。図１２に示すように、タッチセンサ２００は、タッチセンサ２００の感知領域２２０に沿って複数の感知素子２１０を含むことができる。感知素子２１０は、複数の行及び／若しくは列を含むパターン又はグリッドに配置することができる。タッチセンサ２００の感知領域２２０は、コネクタ領域２３０によってインタフェース領域２４０に接続することができる。インタフェース領域２４０は、前部フレーム４２０内の処理ユニット回路基板セット３５６に動作可能に接続するための１つ以上の電気端子を提供することができる。タッチセンサは、感知領域２２０を有する前部フレーム４２０の外部部分から、インタフェース領域２４０を有する前部フレーム４２０の内部部分まで延在することができる。コネクタ領域２３０は、外部部分から内部部分へ、例えば、前部フレーム４２０の窓を通じて移行することができる。
【００６３】
図１３に示すように、タッチセンサ２００は、無線電力受信器４５０の長手方向の側部上にあるスタイラス１００のグリップ領域１０４内に少なくとも部分的に延在することができる。例えば、タッチセンサ２００は、グリップ領域１０４に沿って延在することができる。タッチセンサ２００及び無線電力受信器４５０は、オーバーラップ部分を有しないように長手方向軸に沿って配置され得る。
【００６４】
図１４に示すように、スタイラス１００は、無線電力受信器４５０の両反対側に複数のタッチセンサ２００を含むことができる。複数のタッチセンサ２００のそれぞれは、筐体１１０の異なる部分内に延在することができる。タッチセンサ２００は、互いに離間されていてもよい。タッチセンサ２００のうちの少なくとも１つは、グリップ領域１０４に沿って延在することができる。タッチセンサ２００及び無線電力受信器４５０は、オーバーラップ部分を有しないように長手方向軸に沿って配置され得る。別個のタッチセンサ２００によって検出されたジェスチャは、ユーザのジェスチャの検出時にスタイラス１００及び／又は外部デバイスによって実行される予めプログラムされた機能に従って、異なるユーザ入力として解釈することができる。
【００６５】
図１５に示すように、タッチセンサ２００は、無線電力受信器４５０を横切って延在するように配置され得る。この構成では、無線電力受信器４５０は、タッチセンサ２００を介して動作するように構成することができる。特に、スタイラスが使用されていないときに充電を実行することができ、充電セッション中にタッチセンサ２００を非アクティブ化することができる。
【００６６】
タッチセンサ２００は、スタイラス及び／又はホストデバイスに１つ以上の機能を実行させるために提供され得る。特定の例が本明細書で提供されるが、スタイラス及び／又はホストデバイスの任意の機能は、スタイラス及び／又はホストデバイスの予めプログラムされた特徴に従って実行することができることを理解されたい。タッチセンサ２００は、ユーザがスタイラス１００をグリップしている位置、及びグリップしているかどうかを検出するために使用することができる。タッチセンサ２００は、スタイラス及び／又はホストデバイスの１つ以上の設定を変更、選択、及び／又は表示するために使用することができる。例えば、タッチセンサ２００は、ジェスチャを検出し、スタイラス及び／又はホストデバイスの性能に影響を及ぼす１つ以上の設定を変更、選択、及び／又は表示するために、ホストデバイスに信号を送信することができる。設定は、ホストデバイスと共にスタイラスを使用することによって生成されるマーキングの特性（例えば、色、サイズ、幅、厚さ、形状など）に関連付けることができる。
【００６７】
タッチセンサ２００は、タップ、ダブルタップ、トリプルタップ、又はユーザによる別のタップジェスチャを検出するために使用することができる。例えば、ユーザがグリップ領域１０４に指を当てると、スタイラス１００は、タッチセンサ２００内に誘導された結果として生じる静電容量を検出することができる。続いて、ユーザは指を持ち上げることができ、スタイラス１００は、結果として生じる静電容量又はタッチセンサ２００内に誘導される静電容量の変化を検出することができる。ユーザは、その後、指をグリップ領域１０４に戻すことができ、スタイラス１００は、結果として生じる静電容量又はタッチセンサ２００内に誘導される静電容量の変化を検出することができる。ある期間内の入力のシーケンスは、ユーザのタップジェスチャとしてスタイラス１００によって解釈することができる。追加的に又は代替的に、タッチセンサ２００は、ユーザによるスライドジェスチャを検出するために使用することができる。グリップ領域に沿ったタッチセンサ２００の複数の感知素子は、特定のユーザ入力を検出するために協調して使用することができる。追加的に又は代替的に、タッチセンサ２００は、ユーザによる回転ジェスチャを検出するために使用することができる。回転ジェスチャは、筐体１１０の円周の周りの指の移動、及び／又は作業面などの表面上での筐体１１０の回転移動を含むことができる。タッチセンサ２００は、タップジェスチャ、スライドジェスチャ、回転ジェスチャ、及び／又は他のジェスチャを含む、ジェスチャの組み合わせを検出するために使用できることを理解されたい。例えば、組み合わせた異なるジェスチャのシーケンスは、スタイラス１００によってユーザの入力として解釈することができる。
【００６８】
ここで図１６及び図１７を参照すると、タッチセンサを筐体に対して半径方向に外側に付勢し、かつフレームアセンブリの不均一な表面特徴に適合するように、弾性インサートを提供することができる。図１６に示すように、スタイラスの弾性インサート１２２は、タッチセンサ２００に対する安全な支持を提供するために、スタイラスの隣接する特徴部と適合することができる。図１６に示すように、弾性インサート１２２は、弾性インサート１２２の材料が異なる厚さを備える、異なる領域１２４、１２６、及び１２８を有することができる。例えば、弾性インサート１２２は、その側部上の領域１２６及び／又は１２８において１つ以上の凹部を含むことができる。図１７は、図１６の線Ｅ−Ｅに沿って切り取られた弾性インサートの側面断面図を示している。図１７に示すように、領域１２６及び１２８における凹部は、弾性インサート１２２の局所的に薄くされた部分を提供し、その厚さは、弾性インサート１２２の他の（例えば、第１の領域１２４における）領域よりも小さい。図１７に示すように、第１の領域１２４における厚さは、第２の領域１２６及び／又は第３の領域１２８における厚さよりも大きい。凹部は、フレームアセンブリの一部分又はそれによって支持される構成要素を受容するように配置され、サイズ決めされ得る。例えば、領域１２６及び／又は１２８における凹部は、フレームアセンブリの開口部を覆う磁石（例えば、前部磁石４４８及び／若しくは後部磁石４９８）又は蓋（例えば、蓋４９０）を受容するようにサイズ決め及び配置され得る。これらの特徴部は、フレームアセンブリの表面に沿って突出することができるが、弾性インサート１２２の領域１２６及び１２８は、弾性インサート１２２の周辺部に沿って、均一かつ実質的に滑らかな外側表面を提供する。
【００６９】
スタイラス１００は、スタイラス１００のグリップ領域１０４にタッチセンサ２００を設け、その中で前部磁石４４８が支持されるプロセスによって組み立てることができる。例えば、タッチセンサ２００及び弾性インサート１２２は、平坦又は実質的に平面の構成で提供され得る。弾性インサート１２２は、支持部材４０２の周囲に巻き付けることができる。弾性インサートの凹部は、フレームアセンブリの突出特徴部と整列させることができる。タッチセンサ２００は、弾性インサート１２２の周囲に巻き付けることができる。
【００７０】
次に、前部フレーム４２０、フロントマグネット４４８、弾性インサート１２２、及びタッチセンサ２００を含むアセンブリを、筐体１１０内に挿入することができる。挿入前に、タッチセンサ２００の外側断面寸法（例えば直径）が筐体１１０の内側断面寸法（例えば、直径）よりも大きくなるように、アセンブリをオーバーサイズにすることができる。したがって、組み立てられたタッチセンサ２００が筐体１１０内に挿入されると、筐体１１０の内側表面に適合するように圧縮されることになる。タッチセンサ２００は、筐体１１０内に挿入されると、弾性インサート１２２と共に圧縮され得る。筐体１１０内で圧縮している間、弾性インサート１２２は、タッチセンサ２００を筐体の内側表面に対して付勢する。弾性インサート１２２は、圧縮下でそのような付勢を提供するための様々な材料のうちの１つ以上を含むことができる。例えば、弾性インサート１２２は、発泡体本体、エラストマ、マトリックス材料、又は弾性特性を有する別の材料を含むことができる。弾性インサート１２２は、タッチセンサを支持部材４０２に接合するための接着剤を含むことができる。例えば、弾性インサート１２２は、圧縮時に活性化される感圧接着剤を含むことができる。
【００７１】
ここで図１８及び図１９を参照すると、スタイラス１００は、無線充電機能を提供することができる。図１８は、主題技術のいくつかの実施形態に係る、図９の線Ｃ−Ｃに沿って切り取られたスタイラス１００の側面断面図を示している。図１９は、主題技術のいくつかの実施形態に係る、図９の線Ｄ−Ｄに沿って切り取られたスタイラス１００の正面断面図を示している。図１８及び図１９に示すように、スタイラス１００は、筐体１１０内にある無線電力受信器４５０を含むことができる。無線電力受信器４５０は、前部フレーム４２０と後部フレーム４７０との間に形成された充電窓４１６内に配置することができる。前部フレーム４２０及び後部フレーム４７０は、その内部に収容された構成要素に適切な構造的支持及びシールドを提供する金属並びに／又は導電性材料であり得る。無線電力受信器４５０は、充電窓４１６内に配置されて、筐体１１０を介した電磁電力伝達を受け入れることができる。したがって、筐体１１０は、非導電性であるか、又は別の方法でそこから伝送された電磁放射に対して透過性である材料であり得る。
【００７２】
ここで図２０及び図２１を参照すると、スタイラスをホストデバイスと共に使用することにより、スタイラスに対する無線充電を提供することができる。図２０に示すように、スタイラス１００の筐体内の無線電力受信器４５０、及び無線電力受信器４５０の両反対側に配置された複数のスタイラス磁石４４８及び４９８がある。無線電力受信器４５０、並びに複数のスタイラス磁石４４８及び４９８は、スタイラス１００の同じ半径方向側部上に、かつ筐体の平坦部１１４に隣接して配置することができる。追加のスタイラス磁石を任意選択的に含むことができ、スタイラス磁石は、無線電力受信器４５０の同じ長手方向の側部上などの他の構成で提供され得ることが理解されるであろう。
【００７３】
スタイラス磁石４４８及び４９８は、ホストデバイス９０の対応するホスト磁石４８及び９８に磁気結合を提供する。図２０に更に示すように、無線電力送信器５８は、ホストデバイス９０によって提供される。ホスト磁石４８及び９８は、無線電力送信器５８の反対側に配置することができる。無線電力送信器５８並びにホスト磁石４８及び９８は、スタイラス磁石４４８及び４９８がホスト磁石４８及び９８と整列されると、無線電力受信器４５０がホストデバイス９０の無線電力受信器４５０と整列されるように配置することができる。追加のホスト磁石を任意選択的に含むことができ、ホスト磁石は、無線電力送信器５８の同じ長手方向の側部上などの他の構成で提供され得ることが理解されるであろう。
【００７４】
磁気結合は、充電セッション中の整列を維持することができる。スタイラスの平坦部分１１４は、ホストデバイス９０の係合部分１４への固定結合を容易にすることができる。例えば、ホストデバイス９０の係合部分１４は、別の平坦な表面又は他の相補的な形状を提供して、対向する表面の物理的接触を容易にし、無線電力送信器５８及び無線電力受信器４５０に近接した状態を維持することができる。スタイラスのホストデバイスへの接触及び係合を容易にするために、他の表面形状及び特徴部が企図されることが理解されるであろう。例えば、表面は、係合を提供するために、平坦、湾曲、凹状、凸状、波状、段状、テーパ状、又は別の形状であり得る。
【００７５】
したがって、スタイラスの構成要素及びそのアセンブリは、静電容量式タッチ入力、ホストデバイスとの磁気結合、及びホストデバイスからの無線充電を容易にする方法で提供される。タッチセンサは、スタイラスの構成要素の組み立て及び固定を容易にする低プロファイル形態の入力デバイスに統合することができる。ホストデバイスとの無線充電及び磁気結合もまた容易になる。スタイラスは、スタイラスを用いたユーザエクスペリエンスを改善するスモールフォームファクタで、上記の特徴部を提供することができる。図示された実施例における変形例が、同様の結果を達成するために提供され得ることが理解されるであろう。
【００７６】
本明細書に開示されるタッチベース入力デバイスのいくつかの実施形態はスタイラスに関するものであるが、主題技術は、他の入力デバイスを包含でき、他の入力デバイスに適用され得ることを理解されたい。例えば、本明細書に開示される実施形態に係る入力デバイスには、電話、タブレットコンピューティングデバイス、モバイルコンピューティングデバイス、腕時計、ラップトップコンピューティングデバイス、マウス、ゲームコントローラ、リモートコントロール、デジタルメディアプレーヤ、及び／又は任意の他の電子デバイスを含むことができる。更に、ホストデバイスは、タッチベース入力デバイスと相互作用する任意のデバイスとすることができる。例えば、本明細書に開示される実施形態に係るホストデバイスには、タブレット、電話、ラップトップコンピューティングデバイス、デスクトップコンピューティングデバイス、ウェアラブルデバイス、モバイルコンピューティングデバイス、タブレットコンピューティングデバイス、ディスプレイ、テレビ、電話、デジタルメディアプレーヤ、及び／又は任意の他の電子デバイスを含むことができる。
【００７７】
上述された様々な機能は、デジタル電子回路に、コンピュータソフトウェア、ファームウェア又はハードウェアの形態で実装することができる。本技術は、１つ以上のコンピュータプログラム製品を用いて実装することができる。プログラム可能なプロセッサ及びコンピュータをモバイルデバイス内に含めるか、又はモバイルデバイスとしてパッケージ化することができる。プロセス及び論理の流れは、１つ以上のプログラム可能なプロセッサによって、及び１つ以上のプログラム可能な論理回路によって実行され得る。汎用及び専用コンピューティングデバイス並びに記憶デバイスが通信ネットワークを通じて相互接続され得る。
【００７８】
いくつかの実装形態は、マイクロプロセッサ、コンピュータプログラム命令を機械可読若しくはコンピュータ可読媒体（代替的に、コンピュータ可読記憶媒体、機械可読媒体、又は機械可読記憶媒体とも称される）内に記憶する記憶装置及びメモリなどの、電子構成要素を含む。そのようなコンピュータ可読媒体のいくつかの例としては、ＲＡＭ、ＲＯＭ、読み出し専用コンパクトディスク（ＣＤ−ＲＯＭ）、追記型コンパクトディスク（ＣＤ−Ｒ）、書き換え可能コンパクトディスク（ＣＤ−ＲＷ）、読み出し専用多目的ディスク（例えば、ＤＶＤ−ＲＯＭ、２層ＤＶＤ−ＲＯＭ）、様々な記録可能／書き換え可能ＤＶＤ（例えば、ＤＶＤ−ＲＡＭ、ＤＶＤ−ＲＷ、ＤＶＤ＋ＲＷなど）、フラッシュメモリ（例えば、ＳＤカード、ミニＳＤカード、マイクロＳＤカードなど）、磁気及び／若しくはソリッドステートハードドライブ、超高密度光ディスク、任意の他の光学若しくは磁気メディア、並びにフロッピーディスクが挙げられる。コンピュータ可読媒体は、少なくとも１つの処理ユニットによって実行可能であり、様々な動作を実行するための命令セットを含む、コンピュータプログラムを記憶することができる。コンピュータプログラム又はコンピュータコードの例としては、コンパイラによって作成されるような機械コード、及び、インタープリタを使用して、コンピュータ、電子構成要素、若しくはマイクロプロセッサによって実行される高レベルコードを含むファイルが挙げられる。
【００７９】
上記の説明は、主に、ソフトウェアを実行するマイクロプロセッサ又はマルチコアプロセッサに言及しているが、いくつかの実装形態は、特定用途向け集積回路（ＡＳＩＣ）又はフィールドプログラマブルゲートアレイ（ＦＰＧＡ）などの、１つ以上の集積回路によって実行される。いくつかの実装形態では、そのような集積回路は、その回路自体に記憶されている命令を実行する。
【００８０】
本出願の本明細書及び任意の請求項において使用されるとき、用語「コンピュータ」、「プロセッサ」、及び「メモリ」は全て、電子デバイス又は他の技術デバイスを指す。これらの用語は、人又は人のグループを除外する。本明細書の目的上、「表示する（display）」又は「表示すること（displaying）」という用語は、電子デバイス上に表示することを意味する。本出願の本明細書及び任意の請求項において使用されるとき、用語「コンピュータ可読媒体（computer readable medium）」及び「コンピュータ可読媒体（computer readable media）」は、コンピュータによって読み出し可能である形式で情報を記憶する有形の物理的物体に完全に限定される。これらの用語は、あらゆる無線信号、有線でダウンロードされる信号、及びあらゆる他の一過性の信号を除外する。
【００８１】
ユーザとの対話を提供するために、情報をユーザに表示するための本明細書において説明されるとおりの表示デバイスと、ユーザが入力をコンピュータに提供することができる、キーボード、並びにマウス若しくはトラックボールなどのポインティングデバイスとを有するコンピュータ上に、本明細書で説明される主題の諸実装形態を実装することができる。他の種類のデバイスを使用して、ユーザとの相互作用を同様に提供することもできる。例えば、ユーザに提供されるフィードバックは、視覚フィードバック、聴覚フィードバック、触覚フィードバックなどの任意の形態の感覚フィードバックであり得、ユーザからの入力は、音響入力、音声入力、又は触覚入力を含む任意の形態で受け取ることができる。
【００８２】
上述の機能及びアプリケーションのうちの多くは、コンピュータ可読記憶媒体（コンピュータ可読媒体とも称される）上に記録される命令のセットとして指定される、ソフトウェアプロセスとして実装される。これらの命令が１つ以上の処理ユニット（単数又は複数）（例えば、１つ以上のプロセッサ、プロセッサのコア、又は他の処理ユニット）によって実行されると、それらの命令は、処理ユニット（単数又は複数）に、それらの命令で指示されるアクションを実行させる。コンピュータ可読媒体の例としては、限定するものではないが、ＣＤ−ＲＯＭ、フラッシュドライブ、ＲＡＭチップ、ハードドライブ、ＥＰＲＯＭなどが挙げられる。コンピュータ可読媒体は、無線で、若しくは有線接続を介して伝えられる搬送波及び電子信号を含まない。
【００８３】
本明細書では、用語「ソフトウェア」は、プロセッサによる処理のためにメモリ内に読み込むことができる、読み出し専用メモリ内に存在するファームウェア、又は磁気記憶装置内に記憶されたアプリケーションを含むように意図されている。また、いくつかの実装形態では、本願の開示の複数のソフトウェア態様は、本願の開示の別個のソフトウェア態様のままでありながら、より大きなプログラムの下位部分として実装することができる。いくつかの実装形態では、複数のソフトウェア態様はまた、独立したプログラムとして実装することもできる。最後に、本明細書で説明されるソフトウェア態様を協働して実装する独立したプログラムのいずれの組み合わせも、本願の開示の範囲内に含まれる。いくつかの実装形態では、ソフトウェアプログラムは、１つ以上の電子システムで動作するようにインストールされると、そのソフトウェアプログラムの動作を実行及び遂行する、１つ以上の特定のマシン実装形態を定義する。
【００８４】
コンピュータプログラム（プログラム、ソフトウェア、ソフトウェアアプリケーション、スクリプト、又はコードとも呼ばれる）は、コンパイル若しくはインタープリタされた言語、宣言言語又は手続き型言語を含む、あらゆる形式のプログラミング言語で記述することができ、スタンドアロンプログラムとして、又はモジュール、コンポーネント、サブルーチン、オブジェクト、若しくはコンピューティング環境での使用に適したその他のユニットとして、を含む、任意の形式で展開することができる。コンピュータプログラムはファイルシステム内のファイルに対応し得るが、対応しなくてもよい。プログラムは、他のプログラム又はデータ（例えば、マークアップ言語ドキュメント内に記憶される１つ以上のスクリプト）を保持するファイルの一部分内、問題のプログラム専用の単一のファイル内、あるいは複数の協調ファイル（例えば、１つ以上のモジュール、サブプログラム、又はコードの部分を記憶するファイル）内に記憶することができる。コンピュータプログラムは、１つのサイト上に位置するか又は複数のサイトにまたがって分散される１つのコンピュータ又は複数のコンピュータ上で実行されるように配備でき、通信ネットワークを介して相互接続される。
【００８５】
開示されたプロセスにおけるブロックのいかなる特定の順序又は階層も、例示的なアプローチの一例であることが理解されよう。設計選択に基づいて、プロセス内のブロックの特定の順序又は階層は並び替えられてもよいこと、又は例示されているブロックが全て実行されてもよいことが理解される。ブロックのうちのいくつかは同時に実行されてもよい。例えば、特定の状況では、多重タスク処理及び並列処理が有利な場合がある。そのうえ、上述した実施形態における様々なシステム構成要素の分離は、あらゆる実施形態においてそのような分離が要求されるものとして理解されるべきではなく、説明したプログラム構成要素及びシステムを概してまとめて単一のソフトウェア製品に一体化してもよいし、又は複数のソフトウェア製品にパッケージ化してもよいことは理解されるべきである。
【００８６】
前述の説明は、当業者が本明細書で説明した様々な態様を実施することを可能にするために提供される。これらの態様に対する様々な変更は、当業者には容易に明らかであり、本明細書で定義される一般的な原理は、他の態様にも適用することができる。それゆえ、請求項は、本明細書に示される態様に限定されること意図されておらず、文言による請求項に合致した全範囲を認められるべきであり、単数形による要素への言及は、特に断りのない限り、「唯一の（one and only one）」を意味することを意図されておらず、むしろ、「１つ以上の（one or more）」を意味すること意図されている。特記しない限り、「いくつかの（some）」という用語は、１つ以上のものを指す。男性形（例えば、彼）の代名詞は、女性及び中性の性別（例えば、彼女及びその）を含み、並びにその逆である。もしあれば、見出し及び小見出しは、便宜上のみに使用され、本願の開示を限定するものではない。
【００８７】
「〜ように構成された（configured to）」、「〜ように動作可能な（operable to）」、及び「〜ようにプログラムされた（programmed to）」という述語は、対象物の特有の有形又は無形の改変を意味するものではなく、むしろ交換可能に使用されることを意図している。例えば、動作若しくは構成要素を監視及び制御するように構成されたプロセッサとは、プロセッサが、動作を監視及び制御するようにプログラムされていること、又はプロセッサが、動作を監視及び制御するように動作可能であることも意味し得る。同様に、コードを実行するように構成されたプロセッサは、コードを実行するようにプログラムされた、又はコードを実行するように動作可能なプロセッサと解釈することができる。
【００８８】
「態様（aspect）」などの語句は、このような態様が本願の技術に必須であること、又はこのような態様が本願の技術の全ての構成に適用されることを含意しない。一態様に関する開示は、全ての構成、又は１つ以上の構成に適用され得る。「一態様（an aspect）などの語句は１つ以上の態様を指し、その逆も真である。「構成（configuration）」などの語句は、このような構成が本願の技術に必須であること、又はこのような構成が本願の技術の全ての構成に適用されることを含意しない。一構成（a configuration）に関する開示は、全ての構成、又は１つ以上の構成に適用され得る。一構成（a configuration）などの語句は１つ以上の構成を指し、その逆も真である。
【００８９】
単語「例（example）」は、本明細書において、「例又は実例の役割を果たすこと」を意味するために使用される。本明細書において説明される態様又は設計はいずれも、必ずしも、他の態様又は設計よりも好ましい、又は有利なものと解釈されるべきではない。
【００９０】
当業者に知られているか又は後に知られるようになる、本開示を通じて説明される様々な態様のエレメントに対する全ての構造的及び機能的な均等物は、参照により明示的に本明細書に組み込まれ、かつ、特許請求の範囲に包含されるものと意図する。更に、本明細書で開示されたいかなるものも、そのような開示が特許請求の範囲に明白に列挙されているかどうかにかかわらず、公に供するものではない。いかなるクレーム要素も、要素が、表現「〜のための手段（means for）」を使用して明示的に列挙されるか、又は方法クレームの場合には、要素が、表現「〜のためのステップ（step for）」を使用して列挙されない限り、米国特許法第１１２条第６段落の規定に基づいて解釈されるべきではない。更に、用語「含む（include）」、「有する（have）」又は同様のものが明細書又は特許請求の範囲で使用される限りにおいて、そのような用語は、「備える（comprise）」が特許請求の範囲において移行語として使用されるときに解釈されるように、用語「備える（comprise）」と同様の様態で包括的であることが意図される。
【図１】
2021532489.tif 000003
【図２】
2021532489.tif 000004
【図３】
2021532489.tif 000005
【図４】
2021532489.tif 000006
【図５】
2021532489.tif 000007
【図６】
2021532489.tif 000008
【図７】
2021532489.tif 000009
【図８】
2021532489.tif 000010
【図９】
2021532489.tif 000011
【図１０】
2021532489.tif 000012
【図１１】
2021532489.tif 000013
【図１２】
2021532489.tif 000014
【図１３】
2021532489.tif 000015
【図１４】
2021532489.tif 000016
【図１５】
2021532489.tif 000017
【図１６】
2021532489.tif 000018
【図１７】
2021532489.tif 000019
【図１８】
2021532489.tif 000020
【図１９】
2021532489.tif 000021
【図２０】
2021532489.tif 000022
【図２１】
2021532489.tif 000023
【国際調査報告】
2021532489.tif 000024
2021532489.tif 000025
2021532489.tif 000026
2021532489.tif 000027